(57)【要約】
【課題】装飾性に富んだネックレス用留め具を提供する。
【解決手段】表面５が花の形に造形された留め具本体４と、多数の珠２を連ねたネックレス１の一端が接続される摘み８と、留め具本体４の裏面６側に摘み８を接離自在に吸着保持するマグネット７と、留め具本体４と摘み８とをつなぐ接続具９とを有する。接続具９は、一端どうしが中間の軸１６で回動自在に枢結された第１アーム１５ａと第２アーム１５ｂとを含み、第１アーム１５ａが留め具本体４の裏面６側に、第２アーム１５ｂが摘み８にそれぞれ固定されている。接続具９の両アーム１５ａ・１５ｂは、留め具本体４の裏面６に摘み８を接合したときに略円形に閉じ、留め具本体４から摘み８を離したときに開く。両アーム１５ａ・１５ｂ間にネックレス１の他端部を通して両アーム１５ａ・１５ｂを閉じ姿勢にしたとき、両アーム１５ａ・１５ｂがネックレス１の隣接する珠２・２間に割り込んでネックレス１の他端部を抜け止め状に保持する。留め具本体４の表面５と、摘み８の表面とには、色漆の塗膜１４が塗布形成されている。
【選択図】図３
0003100921.tif 000002
【実用新案登録請求の範囲】
【請求項１】
ネックレス１をループ状に留め付けるためのネックレス用留め具であって、
留め具本体４の表面が、花の形に造形されており、
留め具本体４の表面の少なくとも一部に、漆の塗膜１４が塗布形成されていることを特徴とするネックレス用留め具。
【請求項２】
表面５が花の形に造形された留め具本体４と、
多数の珠２を連ねたネックレス１の一端が接続される摘み８と、
留め具本体４の裏面６側に摘み８を接離自在に吸着保持するマグネット７と、
留め具本体４と摘み８とをつなぐ接続具９とを有し、
接続具９は、一端どうしが中間の軸１６で回動自在に枢結された略半円形の第１アーム１５ａと第２アーム１５ｂとを含み、第１アーム１５ａが留め具本体４の裏面６側に、第２アーム１５ｂが摘み８にそれぞれ固定されており、
接続具９の両アーム１５ａ・１５ｂは、留め具本体４の裏面６に摘み８を接合したときに略円形に閉じる姿勢と、留め具本体４から摘み８を離したときに開く姿勢とに前記軸１６を介して開閉自在であり、
両アーム１５ａ・１５ｂ間にネックレス１の他端部を通して両アーム１５ａ・１５ｂを閉じ姿勢にしたとき、両アーム１５ａ・１５ｂがネックレス１の隣接する珠２・２間に割り込んでネックレス１の他端部を抜け止め状に保持し、
留め具本体４の表面５の少なくとも一部に、色漆の塗膜１４が塗布形成されていることを特徴とするネックレス用留め具。
【請求項３】
留め具本体４の裏面６に第１アーム１５ａのほぼ全体が位置しており、
第２アーム１５ｂの他端に摘み８が固定されており、
前記マグネット７が、第１アーム１５ａの他端に設けた第１マグネット７ａと、第２アーム１５ｂの他端に設けられて第１マグネット７ａに吸着する第２マグネット７ｂとからなる請求項２記載のネックレス用留め具。
【請求項４】
摘み８が、葉の形に造形された部分１３を含み、留め具本体４の裏面６に摘み８を接合した状態において、摘み８の葉の部分１３が、表向きになって留め具本体４の外側に突出しており、
摘み８の葉の部分１３には、これの表面１２の少なくとも一部に色漆の塗膜１４が塗布形成されている請求項３記載のネックレス用留め具。
【請求項５】
漆の塗膜１４には、トルマリンとチタンとゲルマニウムとの微粉末のうち、少なくともいずれか一つの微粉末が含まれている請求項４記載のネックレス用留め具。
【考案の詳細な説明】
【技術分野】
【０００１】
本考案は、装飾性に富んだネックレス用留め具に関する。
【背景技術】
【０００２】
本考案に関する従来技術の１つに、ネックレスの両端に取り付ける一対のホルダで構成され、一対のホルダどうしをマグネットで連結できるようにしたネックレス用留め具がある（特許文献１）。そこでの留め具のホルダは、ネックレスのチェーンとともにトルマリンやチタンなどの機能性粉体を含むメッキで表面処理されている。
【特許文献１】登録実用新案第３０８６７８２号公報
【考案の開示】
【考案が解決しようとする課題】
【０００３】
このネックレス用留め具であれば、簡単にネックレスをループ状に留め付けることができ、トルマリンやチタンによって肩こり解消などの効果までも期待できる。しかし、単にメッキ処理しただけでは装飾性に欠け、安っぽいイミテーションの印象を拭いきれない点に問題がある。そもそもネックレス用の留め具は、装飾品である以上、見た目に高級感があり、美しくなければならず、例えば真珠のネックレスなどにこの留め具を適用すればそれだけで商品価値を損なうおそれがある。また、簡単に留め具が外れてしまうおそれもあった。
【０００４】
そこで、本考案の目的は、真珠のネックレスなどに用いても引けを取らない装飾性を備えたネックレス用留め具を比較的低コストで提供することにある。本考案の目的は、簡単に着脱できて容易に外れるおそれのないネックレス用の留め具を提供することにある。
【課題を解決するための手段】
【０００５】
請求項１記載の本考案は、ネックレス１をループ状に留め付けるためのネックレス用留め具において、留め具本体４の表面５は花の形に造形されており、留め具本体４の表面５の少なくとも一部に、漆の塗膜１４が塗布形成されていることを特徴とする。
【０００６】
請求項２記載の本考案は、表面５が花の形に造形された留め具本体４と、多数の珠２を連ねたネックレス１の一端が接続される摘み８と、留め具本体４の裏面６側に摘み８を接離自在に吸着保持するマグネット７と、留め具本体４と摘み８とをつなぐ接続具９とを有する。接続具９は、一端どうしが中間の軸１６で回動自在に枢結された略半円形の第１アーム１５ａと第２アーム１５ｂとを含み、第１アーム１５ａが留め具本体４の裏面６側に、第２アーム１５ｂが摘み８にそれぞれ固定されている。接続具９の両アーム１５ａ・１５ｂは、留め具本体４の裏面６に摘み８を接合したときに略円形に閉じる姿勢と、留め具本体４から摘み８を離したときに開く姿勢とに前記軸１６を介して開閉自在である。両アーム１５ａ・１５ｂ間にネックレス１の他端部を通して両アーム１５ａ・１５ｂを閉じ姿勢にしたとき、両アーム１５ａ・１５ｂがネックレス１の隣接する珠２・２間に割り込んでネックレス１の他端部を抜け止め状に保持する。留め具本体４の表面５の少なくとも一部には、色漆の塗膜１４が塗布形成されている。
【０００７】
請求項３記載の本考案は、留め具本体４の裏面に第１アーム１５ａのほぼ全体が位置しており、第２アーム１５ｂの他端に摘み８が固定されている。前記マグネット７は、第１アーム１５ａの他端に設けた第１マグネット７ａと、第２アーム１５ｂの他端に設けられて第１マグネット７ａに吸着する第２マグネット７ｂとからなる。
【０００８】
請求項４記載の本考案は、摘み８が葉の形に造形された部分１３を含み、留め具本体４の裏面６に摘み８を接合した状態において、摘み８の葉の部分１３が表向きになって留め具本体４の外側に突出している。摘み８の葉の部分１３にはこれの表面１２の少なくとも一部に色漆の塗膜１４が塗布形成されている。
【０００９】
請求項５記載の本考案は、漆の塗膜１４にトルマリンとチタンとゲルマニウムとの微粉末のうち、少なくともいずれか一つの微粉末が含まれている。
【考案の効果】
【００１０】
留め具本体４の表面５を花の形に造形し、その少なくとも一部に漆の塗膜１４が塗布形成してあるので、この塗膜１４によって留め具本体４の素材に高価な金や銀などを用いなくても高級感を付与することができ、メッキ品などの低コスト素材でも商品価値を高めることができる。特に日本を代表する宝石の一つである真珠のネックレスに好適な留め具となる。漆に色彩を付与すれば留め具がいっそう華やかにできる。
【００１１】
接続具９の両アーム１５ａ・１５ｂを略円形状に閉じてネックレス１を抜け止め状に保持した状態では、マグネット７の磁力が働く方向が、ネックレス１の長手方向に対してほぼ直交するため、ネックレス１に引っ張り力が加わっても留め具が簡単に外れることがない。ネックレス１は、隣接する珠２・２間であればいずれの場所でも留め具を留め付けることができるので、任意の大きさのループを形成することができる。
【００１２】
摘み８にネックレス１の一端が接続してあるので、ネックレス１を装着する際に摘み８を指で摘めば、留め具本体４を回動してもネックレス１がぶらつかず、留め易い。
【００１３】
留め具本体４の裏面６に第１アーム１５ａのほぼ全体が位置するようにしてあると、留め具本体４の表面５側から見て、第１アーム１５ａや第２アーム１５ｂを留め具本体４の裏面６側に隠すことができ、より装飾性を向上させることができる。第２アーム１５ｂの他端に摘み８を固定してあると、留め具本体４と摘み８とを指で摘むことができるため、留め具の着脱が容易である。各アーム１５ａ・１５ｂの端部に設けた各マグネット７を接合するので、両アーム１５ａ・１５ｂを閉じれば無端の略円形になり、確実にネックレス１を抜け止めることができる。
【００１４】
留め具本体４の表面１２だけでなく、摘み８の葉の形に造形した部分１３にも漆の塗膜１４を塗布形成したので、よりいっそう装飾性を高めることができる。
【００１５】
漆の塗膜１４にトルマリンとチタンとゲルマニウムとの微粉末のうち、少なくともいずれか一つの微粉末が含まれているので、漆による高級感に加えて、これらの機能的効果をも享受することができる。具体的には、トルマリンは、マイナスイオンを発生し、その作用によって血行の改善や免疫機能の改善などの効果があり、チタンはイオン化傾向が強く、生体電流の乱れを整える作用があり、ゲルマニウムは、生体電流を整えて免疫力を高める作用があると言われている。微粉末がバインダーの代わりになって漆量を減少することもでき、金属表面への漆の乗りが良くなって、塗膜１４の耐久性も向上できる。
【考案を実施するための最良の形態】
【００１６】
図１ないし図４は、本考案に係るネックレス用留め具を真珠のネックレス１に適用した場合を示す。
【００１７】
図１において、ネックレス１は多数の真珠の珠２を糸に通して直線状に連ねたものである。３はネックレスの他端に取り付けられた飾りである。留め具を他端側の隣接するいずれかの真珠の珠２・２間に掛け留めることによって、ネックレス１を好みの大きさのループ状に留め付けることができる。
【００１８】
本考案に係る留め具は、表面５が花の形に造形された留め具本体４と、留め具本体４の裏面６側にマグネット７で接離自在に吸着保持される摘み８と、留め具本体４と摘み８とをつなぐ接続具９とを有する。ネックレス１の一端は、摘み８の裏面１０に形成した接続環１１に接続されている。留め具本体４、摘み８、接続具９は、いずれも外面が銀メッキ処理された真ちゅうからなる。なお、ここでの表裏は装着時を基準にし、例えば図３では上側を表とした。
【００１９】
留め具本体４の表面５は、複数の花弁を有するバラの花の形に造形されており、この留め具本体４の表面のほぼ中央に真珠の珠２ａが固定されている。
【００２０】
摘み８は、その一部に表面１２が葉の形に造形された部分１３を含んでおり、後述するように留め具本体４の裏面６に摘み８を接合した状態では、摘み８の葉の部分１３が、表向きになって留め具本体４の外側に突出し、図１および図２に示すようにネックレス１を表面から見ると留め具本体４と摘み８とが一体化し、接続具９が留め具本体４や摘み８に隠れてバラの花とその葉からなる装飾品に見える。
【００２１】
留め具本体４および摘み８の表面５・１２のところどころには、トルマリン、チタン、ゲルマニウムの微粉末を含んだ色漆で塗膜１４が形成されている。ここでは、バラの花弁には赤の色漆を用い、バラの葉部分は緑の色漆を用いて塗膜１４を塗布形成した。
【００２２】
微粉末は、各鉱物を粉砕して微細な粒子にまで粉末化した後、色漆の顔料とともに漆に練り込んで使用した。漆の塗膜１４は、微粉末を練り込んだ色漆を留め具本体４および摘み８の表面の所定部分に塗布形成した。塗膜１４の塗り工程は一度に限らず、繰り返し行ってもよい。最後には塗膜表面に光沢を与えるために、磨き処理を行って完成させた。
【００２３】
接続具９は、図３に示すごとく、略半円形の第１アーム１５ａと第２アーム１５ｂとを含んでおり、その一端どうしが中間の軸１６で回動自在に枢結されている。第１アーム１５ａは留め具本体４の裏面６側に、第２アーム１５ｂは摘み８の裏面１０側にそれぞれ一体に固定されている。接続具９の両アーム１５ａ・１５ｂは、留め具本体４の裏面６に摘み８を接合したときに略円形に閉じる姿勢と、留め具本体４から摘み８を離しときに開く姿勢とに前記軸１６を介して開閉自在である。
【００２４】
図２のようにマグネット７や第１アーム１５ａのほぼ全体は留め具本体４の裏面６に位置しており、両アーム１５ａ・１５ｂを閉じれば、各アーム１５ａ・１５ｂは留め具本体４の裏面６に隠れて、表面５からは見えない。
【００２５】
閉じて略円形になった両アーム１５ａ・１５ｂの内径は真珠の珠２の外径よりも小さく形成されていて、図４に示すように両アーム１５ａ・１５ｂ間にネックレス１の他端部を通して両アーム１５ａ・１５ｂを閉じ姿勢にしたとき、両アーム１５ａ・１５ｂがネックレス１の隣接する珠２・２間に割り込んでネックレス１の他端部が抜け止め状に保持される。各アーム１５ａ・１５ｂは断面円形状に形成され、真珠の珠２の表面に傷がつかないようになっている。
【００２６】
マグネット７は永久磁石からなり、第１マグネット７ａと第１マグネット７ａに吸着する第２マグネット７ｂとで構成されている。第１マグネット７ａは、第１アーム１５ａの他端に設けられ、第２マグネット７ｂは、第２アーム１５ｂの他端に固定された摘み８に設けられている。各マグネット７ａ・６ｂは各両アーム１５ａ・１５ｂを閉じ姿勢にしたときに接合する。なおマグネット７は、フェライト磁石や希土類磁石など、種類を問わずに用いることができるが、小さくても強力な磁力が得られる点で希土類磁石を用いることが好ましい。
【００２７】
留め具を装着するには、一方の手で摘み８を摘んで胸元に開き姿勢で保持し、ネックレス１の他端側を他方の手で摘んで首に回し掛けた後、好ましい位置の珠２・２間に開いた両アーム１５ａ・１５ｂを割り込ませ、留め具本体４を摘み８側に回動して両アーム１５ａ・１５ｂを閉じるだけでよい。マグネット７の磁力の働く向きとネックレス１の引っ張り力が働く向きとがほぼ直交するため、ネックレス１を多少引っ張る程度では外れるおそれがない。留め具を外すには、留め具本体４と摘み８とをそれぞれ摘んで磁力に抗して両アーム１５ａ・１５ｂを開くだけで簡単に外すことができる。
【００２８】
本考案に係る留め具は、真珠以外のネックレス１にも適用できる。鉱物粉末はトルマリンやチタン、ゲルマニウムに限らず、その他の鉱物粉末を混合してもよい。漆の塗膜１４は留め具の表面の一部に限らず、全体に塗布形成することもできる。留め具本体４や摘み８の外観形状は多種多様に造形することができる。マグネット７の一方をこれに吸着される磁性体とで構成してもよい。
【図面の簡単な説明】
【００２９】
【図１】留め具をネックレス１に取り付けた状態を前方から見た全体斜視図
【図２】図１の留め具の部分を拡大した斜視図
【図３】留め具の側面から見た斜視図
【図４】留め具の装着状態での断面図
【符号の説明】
【００３０】
１  ネックレス
２  珠
４  留め具本体
７  マグネット
８  摘み
９  接続具
１４  塗膜
１５ａ  第１アーム
１５ｂ  第２アーム
【図１】
0003100921.tif 000003
【図２】
0003100921.tif 000004
【図３】
0003100921.tif 000005
【図４】
0003100921.tif 000006